(57)【特許請求の範囲】
【請求項１】
ユニット収納部と、該ユニット収納部内に２個の水平軸付きのバネユニットと、前記ユニット収納部の上部に摺動可能に設けられた取付台座と、該取付台座に固定された屋根面固定部材とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材が折板屋根の流れ方向に可動するようにしてなることを特徴とする折板屋根受具。
【請求項２】
ユニット収納部と、該ユニット収納部内に２個の水平軸付きのバネユニットと、前記ユニット収納部の上部に摺動可能に設けられた取付台座と、該取付台座に固定された屋根面固定部材とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材が折板屋根の流れ方向に可動するようにしてなることを特徴とする折板屋根受具。
【請求項３】
ユニット収納部と、該ユニット収納部内に２個の水平軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具。
【請求項４】
ユニット収納部と、該ユニット収納部内に２個の水平軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具。
【請求項５】
ユニット収納部と、該ユニット収納部内に２個の垂直軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具。
【請求項６】
ユニット収納部と、該ユニット収納部内に２個の垂直軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具。
【請求項７】
ユニット収納部と、該ユニット収納部内に２個の垂直軸付きのバネユニットと、前記ユニット収納部の上部に摺動可能に設けられた摺動取付台板と、該摺動取付台板上に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記摺動取付台板が折板屋根の流れ方向に可動するようにしてなることを特徴とする折板屋根受具。
【請求項８】
ユニット収納部と、該ユニット収納部内に２個の垂直軸付きのバネユニットと、前記ユニット収納部の上部に摺動可能に設けられた摺動取付台板と、該摺動取付台板上に固定された屋根面固定部材と、前記ユニット収納部の下面に摺動可能に設けられた取付台座とからなり、前記バネユニット内に設けた帯ゼンマイ状の定荷重バネの巻き方向の先端がそ  れぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記摺動取付台板が折板屋根の流れ方向に可動するようにしてなることを特徴とする折板屋根受具。
【請求項９】
請求項１，２，３，４，５，６，７又は８において、前記長孔部に対して前記バネユニットの定荷重バネの上部先端の摺動片は巻き戻し方向の場合にのみ摺動するように形成されてなることを特徴とする折板屋根受具。
【発明の詳細な説明】
【技術分野】
【０００１】
本発明は、折板屋根の流れ方向としての屋根板材の長手方向が長尺で、その長手方向に熱伸縮が発生しても、良好に対応できる折板屋根受具に関する。
【背景技術】
【０００２】
従来より、折板屋根流れ方向としての屋根板材の長手方向が長尺な場合において、熱伸縮に対応するように種々開発されている。その折板屋根において、山部と谷部とが連続する折板屋根では、外気温度の変化によって、屋根板材の長手方向が長尺な場合、その長手方向に沿って伸縮する。この伸縮量は、夏等の高温時には極めて大きく、熱歪が発生することにより、特に馳締等の連結部の吊子及び支持具による固定箇所では、熱伸縮による大きな歪が現れて、きしみ音が出る音鳴り現象が発生していたので、これを解消すべく、熱伸縮に対応して適宜可動する可動型屋根受具（スライド型固定金具ともいう。）が開発されており、この種のものとして特許文献１及び特許文献２に開示されている。
【０００３】
該可動型屋根受具は、施工時の温度条件並びに、完成後の使用状態における伸び側、縮み側の変位を吸収するため、確実にスライド代を確保する必要がある。しかし、施工時、スライド中央位置に吊子をセットした（センタリング）状態で可動型屋根受具を取り付けても、その後屋根葺き作業等を行うと、その段階で可動型屋根受具の吊子が勝手にスライドしてしまい、不適切な（伸縮吸収代が無い）位置で屋根材に固定されることがしばしば生じ得る。この場合、伸縮代のない可動型屋根受具に熱伸縮力が集中し、可動型屋根受具が破損する虞も生じていた。折板屋根の屋根板材によって施工された屋根で、特に大形建造物においては、従来の可動型屋根受具を使用しても、そのスライド性能が十分発揮されないことがあった。また、固定型屋根受具（拘束型固定金具ともいう。）に対して、屋根板材の過大な熱伸縮による荷重が働き、前記固定型屋根受具には損傷が引き起こされることがあった。
【先行技術文献】
【特許文献】
【０００４】
【特許文献１】特開２００８−２５５６４８号
【特許文献２】特開２００９−２０３７１８号
【特許文献３】特表２００８−５０３０００号
【発明の概要】
【発明が解決しようとする課題】
【０００５】
このような破損については次の要因が考えられる。その折板屋根板材には、熱伸縮力以外に、屋根板材自身の重量、積雪荷重、風荷重、地震荷重等の様々な負荷が掛かる。これらの負荷が掛かった状態では、円滑にスライドしないことが生じ得る。また建物の供用期間中にはこれらの負荷により、スライド性能が低下することが考えられる。一般には熱伸縮に対応できるような可動型屋根受具については、特許文献１及び特許文献２に開示されているが、これらの特許文献１，２では上記の問題点や或は施工時、スライド中央位置から吊子がずれてしまうという不都合な点は解決されていない。
【０００６】
また、一般に、二重屋根に使用される固定型屋根受具の方が熱伸縮による負荷は大きい。これは、二重屋根を使用する建物では、空調等を備えることが一般であり、そのために、躯体や二重屋根の下葺き用の屋根板材の温度条件の変動が小さく、上葺き用の屋根板材の温度変化がそのまま熱伸縮負荷として断熱具にかかることになる。また、上葺き屋根板材の下に断熱材があることで、熱が上葺き屋根板材の下に逃げにくくなるため、上葺き屋根板材の温度変動が大きくなり、可動型屋根受具の開発の要望がある。
【０００７】
一般に、金属製の折板屋根の熱伸縮による場合には、その長さ位置、例えば、先端の５０ｍの位置と、その箇所より２０ｍ内側では、伸縮量が相違しているが、そのいずれの箇所でも、同じ力が作用している。これをコイルばねなどで対応させると、伸縮量に応じた，ばね定数となる。そこで、どの位置でも、同じ力が作用するものが望まれていた。その役割をなす原理機構として、定荷重バネが存在しており、これを、金属製の折板屋根の熱伸縮に如何に対応していくかは重要な課題であった。また、特許文献３は、壁などに対応するようにした、定荷重バネを使用した伸縮装置であるが、具体的には、熱伸縮対応に開発されていないものである。
【０００８】
本発明が解決しようとする課題（技術的課題又は目的等）は、折板屋根の流れ方向としての屋根板材の長手方向が長尺で、その長手方向に熱伸縮が発生しても、それを良好に追従することができ、特に、伸縮量の変化にかかわらず、どの位置でも、同じ力が作用するようにし、さらに、復元機能を持たせるようにすることを実現することにある。    
【課題を解決するための手段】
【０００９】
そこで、発明者は、上記課題を解決すべく、鋭意，研究を重ねた結果、請求項１の発明を、ユニット収納部と、該ユニット収納部内に２個の水平軸付きのバネユニットと、前記ユニット収納部の上部に摺動可能に設けられた取付台座と、該取付台座に固定された屋根面固定部材とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材が折板屋根の流れ方向に可動するようにしてなることを特徴とする折板屋根受具としたことにより、前記課題を解決した。
【００１０】
請求項２の発明を、ユニット収納部と、該ユニット収納部内に２個の水平軸付きのバネユニットと、前記ユニット収納部の上部に摺動可能に設けられた取付台座と、該取付台座に固定された屋根面固定部材とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材が折板屋根の流れ方向に可動するようにしてなることを特徴とする折板屋根受具としたことにより、前記課題を解決した。
【００１１】
請求項３の発明を、ユニット収納部と、該ユニット収納部内に２個の水平軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具としたことにより、前記課題を解決した。
【００１２】
請求項４の発明を、ユニット収納部と、該ユニット収納部内に２個の水平軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具としたことにより、前記課題を解決した。
【００１３】
請求項５の発明を、ユニット収納部と、該ユニット収納部内に２個の垂直軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具としたことにより、前記課題を解決した。
【００１４】
請求項６の発明を、ユニット収納部と、該ユニット収納部内に２個の垂直軸付きのバネユニットと、前記ユニット収納部の上部に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記ユニット収納部が折板屋根の流れ方向に可動するようにしてなることを特徴とする折板屋根受具としたことにより、前記課題を解決した。
【００１５】
請求項７の発明を、ユニット収納部と、該ユニット収納部内に２個の垂直軸付きのバネユニットと、前記ユニット収納部の上部に摺動可能に設けられた摺動取付台板と、該摺動取付台板上に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ直列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記摺動取付台板が折板屋根の流れ方向に可動するようにしてなることを特徴とする折板屋根受具としたことにより、前記課題を解決した。
【００１６】
請求項８の発明を、ユニット収納部と、該ユニット収納部内に２個の垂直軸付きのバネユニットと、前記ユニット収納部の上部に摺動可能に設けられた摺動取付台板と、該摺動取付台板上に固定された屋根面固定部材と、前記ユニット収納部の下面に摺動可能に設けられた取付台座とからなり、前記バネユニット内に設けた帯ゼンマイ状の定荷重バネの巻き方向の先端がそれぞれ外向きで且つ並列状に設置され、前記取付台座にそれぞれ設けられた２つの長孔部に摺動可能に設けられた摺動片が、２つの前記定荷重バネの先端部とが固定され、前記定荷重バネの弾性力に抗して前記屋根面固定部材及び前記摺動取付台板が折板屋根の流れ方向に可動するようにしてなることを特徴とする折板屋根受具としたことにより、前記課題を解決した。
【００１７】
請求項９の発明を、請求項１，２，３，４，５，６，７又は８において、前記長孔部に対して前記バネユニットの定荷重バネの上部先端の摺動片は巻き戻し方向の場合にのみ摺動するように形成されてなることを特徴とする折板屋根受具としたことにより、前記課題を解決したものである。
【発明の効果】
【００１８】
請求項１の発明においては、通常の外気温度から高温又は低温に変化した場合に屋根板材はその熱伸縮が極めて大きくなり、その屋根板材の熱伸縮に伴って屋根面固定部材も可動する。このとき定荷重バネは、弾性力を有することとなり、熱伸縮作用に伴って弾性力による反力を作用させつつ取付台座が摺動して熱伸縮に極めて良好に追従することができる。また、折板屋根が流れ方向に適宜傾斜したタイプのものでは、屋根板材の自重が屋根面固定部材にかかり、長期に亘って下方に移動してしまうものであるが、本発明においては、定荷重バネによって、取付台座が支持されているので、該取付台座がその折板屋根受具の受け持つ部分の重量に対して十分に支持し、屋根板材が下方に移動することを防止することができる。
【００１９】
特に、本発明の定荷重バネは、定荷重ばねとしての役割をなすため、金属製屋根の熱伸縮*量におけるそれぞれの位置の荷重が殆ど同一荷重となる態様に極めて好適な効果を奏
する。請求項２〜８の発明では、請求項１の発明と同等の効果を発揮しうる。請求項３，５及び７の発明では、簡単な構成で提供できる。また、直列ゆえに、摺動がスムーズにできると共に、安定した状態で使用することができる。請求項９の発明では、よりスムーズな摺動ができる。
【図面の簡単な説明】
【００２０】
【図１】（Ａ）は本発明の第１実施形態における折板屋根受具の斜視図、（Ｂ）は（Ａ）のバネユニット箇所の要部斜視図、（Ｃ）及び（Ｄ）はバネユニットの別の角度から見た斜視図である。
【図２】本発明の第１実施形態における分解断面図である。
【図３】（Ａ）は本発明の一部断面とした側面図、（Ｂ）はＡ）のＹ１−Ｙ１矢視断面図、（Ｃ）は取付台座を変形した本発明の第１実施形態の断面図である。
【図４】（Ａ）は取付台座が左側に摺動した状態の一部断面とした側面図、（Ｂ）は（Ａ）の（ア）部拡大図、（Ｃ）は（Ａ）の（イ）部拡大図、（Ｄ）は取付台座が右側に摺動した状態の一部断面とした側面図、（Ｅ）は（Ｄ）の（ウ）部拡大図、（Ｆ）は（Ｄ）の（エ）部拡大図である。
【図５】（Ａ）は定荷重バネ箇所の拡大断面図、（Ｂ）は定荷重バネの特性グラフである。
【図６】（Ａ）は本発明を馳締部を有する馳締折板屋根に使用した要部正面図、（Ｂ）は重合タイプの折板屋根に使用した状態の要部正面略示図、（Ｃ）は嵌合タイプの折板屋根に使用した状態の要部正面略示図である。
【図７】（Ａ）は本発明の第１実施形態の変形例の斜視図、（Ｂ）は（Ａ）を二重屋根に取り付けた要部正面略示図である。
【図８】（Ａ）は本発明の第２実施形態の一部断面とした側面図、（Ｂ）は（Ａ）の一部切除した平面図、（Ｃ）は（Ａ）の取付台座及び屋根面固定部材の斜視図。
【図９】（Ａ）は本発明の第３実施形態の一部断面とした側面図、（Ｂ）は（Ａ）の一部切除した平面図、（Ｃ）は本発明の第４実施形態の一部断面とした平面図。
【図１０】（Ａ）は本発明の第５実施形態の一部断面とした平面図、（Ｂ）は（Ａ）の一部切除した側面図、（Ｃ）は本発明の第６実施形態の一部断面とした平面図である。
【図１１】（Ａ）は本発明の第７実施形態の一部断面とした平面図、（Ｂ）は（Ａ）の一部切除した側面図、（Ｃ）は本発明の第８実施形態の一部断面とした平面図である。
【発明を実施するための形態】
【００２１】
以下、本発明の複数の実施形態について図面に基づいて説明すると、図１乃至図４、図６及び図７は本発明の第１実施形態を示すものである。主に、ユニット収納部１と、該ユニット収納部１内に２個の水平軸付きのバネユニットＡと、前記ユニット収納部１の上部に摺動可能に設けられた取付台座５と、該取付台座５に固定された屋根面固定部材７とから構成されている。前記取付台座５の下側には、適宜な下部台座６が設けられている。
【００２２】
前記ユニット収納部１は、広幅Ｕ字状をなしている。具体的には、底部１１の左右側に垂直状部１２，１２が形成され、該垂直状部１２，１２の上端から外側に頂部１３，１３が張出して形成されている。コ字形を有する取付片１４，１４が前記垂直状部１２，１２に設けられ、前記頂部１３，１３との間で挿入溝１５，１５が形成されている。前記頂部１３，１３上には、摩擦抵抗の少ない合成樹脂剤などの滑動面１６が貼着されている。
【００２３】
前記バネユニットＡは、帯ゼンマイ状の定荷重バネ２と、該定荷重バネ２を巻きつけ収納しておくドラム３と、該ドラム３が回転可能に設けられた水平軸４１と、前記ドラム３を収納しつつ前記水平軸４１を軸支したＵ字形部４２から構成されている。このように構成されたバネユニットＡの同一のものが２つ使われる。
【００２４】
前記定荷重バネ２は前記ドラム３に巻き掛けされており、前記定荷重バネ２を引き出して使用する。特に、図５（Ｂ）に示す特性グラフのように、横軸に、巻き出しのストロークＳを、縦軸に出力Ｆ（トルク）を取ると、最初は、急速に出力が立ち上がり、その後は、出力一定となるように構成されている。このとき、力を止めると、旧位置に戻るように構成されている。
【００２５】
前記ドラム３の円筒部３ａには、前記定荷重バネ２は、一定幅で、厚さ約０．４乃至約２ｍｍ程度のバネ鋼等からなり、その内部端は、接着などされることなく複数回を巻き掛けされた状態で構成されている。その外部端には、プレート片２２がリベット等にて固着されている。
【００２６】
また、略中央位置に回転可能状態にした前記定荷重バネ２付きドラム３の前記水平軸４１は、前記Ｕ字形部４２に軸支されている。前記ドラム３の幅と前記Ｕ字形部４２の間隔は同等に形成されている。このように構成された前記バネユニットＡは、前記ユニット収納部１のＵ字状内に、Ｕ字溝の長手方向を向いて、定荷重バネ２の巻き方向の先端がそれぞれ外向きで且つ直列状に２個が設置されている。
【００２７】
前記取付台座５は高さの低い門形状部５１と該門形状部５１の両側下端より外側に水平縁５２，５２が形成されている。該水平縁５２，５２が、前記ユニット収納部１に形成された前記挿入溝１５，１５に挿入され、図４（Ａ）及び（Ｄ）において左右方向に摺動自在に設けられている。
【００２８】
特に、本発明では、前記取付台座５が前記ユニット収納部１に対して適宜摺動したときに前記定荷重バネ２の取付に大きな特徴がある。つまり、図３（Ａ）に示すように、定荷重バネ２の巻き方向の先端のプレート片２２，２２は互いに外向きにセットされている。すると、同図において、左側の定荷重バネ２は、前記屋根面固定部材及び取付台座５が左方向に摺動したときに巻き上げ状態となって、定荷重バネ２の弾性力に抗して所定の力を得られるように前記取付台座５と共に移動する。また、同図において、右側の定荷重バネ２はこれとは逆となる。
【００２９】
このために、前記取付台座５には、直列状に長孔部５１ａ，５１ａが形成されている。該長孔部５１ａ，５１ａに摺動可能に設けられた摺動片２５が、それぞれ２つの前記定荷重バネ２，２の先端のプレート片２２，２２とが固定されている。そのセット状態としては、中立位置〔図３（Ａ）参照〕において、同図における左右側の摺動片２５，２５が、左右側の長孔部５１ａ，５１ａの対向する内側縁に、記定荷重バネ２，２の弾性力にて接している状態を保持している。
【００３０】
このような構成にしておくと、同図において、前記屋根面固定部材及び取付台座５が左方向に摺動したときに、左側の定荷重バネ２は巻き上げ状態となって所定の弾性力を得られる。このとき、右側の定荷重バネ２は、巻き戻しとなりつつ、前記摺動片２５が長孔部５１ａを摺動して前記定荷重バネ２に戻し力を与えず、良好に対応できる。また、同図において、前記屋根面固定部材及び取付台座５が右方向に摺動したときに、同様に対応できる。
【００３１】
また、前記下部台座６は、図１に示すように、構造物の構造材に設けられる部材であるが、図７（Ａ）及び（Ｂ）に示すように、二重屋根の下部屋根上の設けるような固定具６１付きの下部台座６とすることもある。固定具６１としては、中間に開き片６１ａ，６１ａがボルトナット６１ｂにて下部屋根上に締め付け固定されるものである。
【００３２】
別の変形例の前記取付台座５は、図３（Ｃ）に示すように、前記水平縁５２，５２の外端より下側に折返し縁５３，５３が形成されている。つまり、前記取付台座５の水平縁５２及び折返し縁５３にて、前記ユニット収納部１の張出しの頂部１２を包むようにして摺動するように構成されている。
【００３３】
前記屋根面固定部材７は、後述する屋根板材９の種類に基づいて種々のタイプが存在する。まず馳締タイプの屋根板材９では、屋根面固定部材７は馳締用吊子としての役割をなすものであり、取付基部７１と馳締舌片部７２とからなる。馳締舌片部７２は、図１に示すように、首部７２１の上端から馳締屈曲部７２２が形成されている。該馳締屈曲部７２２は、延長方向を長手方向として形成されている。前記首部７２１は、前述したように、取付基部７１から略垂直状に立ち上がり形成されたものである。
【００３４】
前記馳締屈曲部７２２は、弧状屈曲片７２２ａ，頂片７２２ｂ，弧状端縁７２２ｃが形成されており、後述の馳締タイプの屋根板材９の弧状に形成された下馳部９４と上馳部９５に対応するものである。具体的には、前記首部７２１の上端の長手方向の長さと、馳締屈曲部７２２の長手方向の長さとが同一で一致するように形成されている〔図１（Ａ）参照〕。
【００３５】
屋根面固定部材７には、その他のタイプとして、後述するように嵌合キャップ材９７を使用する嵌合タイプの屋根板材９に適応するもの〔図６（Ｃ）参照〕や、屋根板材９，９同士の山形部同士を重合させて連結する重合タイプの屋根板材９に適応するもの〔図６（Ｂ）参照〕や、重合する山形部同士に嵌合屈曲部が設けてあり、重合且つ嵌合させて連結するタイプに適応するもの等が存在する。
【００３６】
また、屋根板材９は、種々の折板タイプが存在するものであり、馳締タイプ〔図６（Ａ）参照〕、嵌合キャップ材９７を使用する嵌合タイプ〔図６（Ｃ）参照〕，山形部同士を重合して連結する重合タイプ〔図６（Ｂ）参照〕，山形部に嵌合屈曲部が形成され、山形部同士を重合且つ嵌合して連結する嵌合タイプ等が存在する。まず馳締タイプの屋根板材９としては、図６（Ａ）に示すように、主板９１の幅方向両側部分より立上り側部９２，９２が形成され、両立上り側部９２，９２の両端より頂部９３，９３が形成され、該頂部９３，９３の一方の端から下馳部９４が形成され，他方の頂部９３の端には上馳部９５が形成されている。前記屋根板材９は、金属製であり、具体的には金属板からドラム成形等によって成形されたものである。
【００３７】
そして、このような屋根板材９，９ …が複数並設され、隣接する屋根板材９，９ 同士の下馳部９４と上馳部９５との間に、前記馳締舌片部６２における馳締屈曲部６２２が介在され、前記下馳部９４と前記上馳部９５と前記馳締屈曲部６２２を介して馳締め結合され馳締外囲体が施工される。具体的には、前記屋根面固定部材６の馳締屈曲部６２２の内方側（又は下面側）に下馳部９４が巻き込まれ、前記馳締屈曲部６２２の外方側（上面側）に上馳部９５が巻き付けるように覆う構造となる。馳締舌片部６２の長手方向と、屋根板材９の長手方向とは一致している。すなわち、屋根板材９の熱伸縮における伸縮方向と、屋根面固定部材６の馳締舌片部６２の長手方向とが一致しているものである。
【００３８】
また、前記下馳部９４と上馳部９５との総称として馳部ということもある。馳締外囲体は、屋根板材９，９ ，…から構成される。前記下馳部９４及び上馳部９５は、共に丸馳
としたものであり、略円弧状に形成されたものである。また下馳部９４と上馳部９５との別の実施形態では、角形状としたものが存在する。角形状としたものでは、略三角形状に折曲形成されるものである。
【００３９】
図６（Ｃ）は、被嵌合部９６と、嵌合キャップ材９７とから構成される。このタイプの屋根板材９に適応する屋根面固定部材７では嵌合吊子７３が使用される。そして、隣接する屋根板材９，９の対向する被嵌合部９６，９６が前記嵌合吊子７３によって前記折板屋根受具の取付台座５上に固定され、対向する前記被嵌合部９６，９６と前記嵌合吊子７３に前記嵌合キャップ材９７が嵌合固定される。また、前記取付台座５と嵌合吊子７３との間には適宜な部材が固着され、該嵌合吊子７３を固定するための螺子軸７４が設けられており、ナットを介して前記嵌合吊子７３が固定される。
【００４０】
図６（Ｂ）では、重合タイプの屋根板材９であり、屋根板材９に形成された山形部９８，９８同士を重合させるものである。この場合には、前記取付台座５上に螺子軸７４が設けられている。そして、山形部９８，９８の頂部同士が重合されると共に、その頂部同士に前記螺子軸７４が貫通し、ナットが該螺子軸７４に締め付けられて固定される。
【００４１】
本発明の折板屋根受具の取付台座５は、屋根を構成する屋根板材９の熱伸縮に伴って、該屋根板材９の伸び又は縮みと共に移動し、屋根板材９の熱伸縮に確実に追従することができる。具体的には、屋根板材９の伸び又は縮みに伴って、ユニット収納部１内の定荷重バネ２の弾性力に抗して適宜引き出される。この弾性力が、伸び又は縮み量にかかわらず常に一定値Ｆなる力で作用している。この一定値Ｆなる力で作用していることが定荷重バネ２による特性である。
【００４２】
また、本発明の折板屋根受具は、建築現場に持ち込まれたときの状態は、定荷重バネ２が旧位置の巻き付き状態に維持されており、前記ユニット収納部１の長手方向中心位置となっている前記取付台座５として構成されている。そして、屋根施工直後であっても、前記屋根面固定部材７を取り付けた前記取付台座５は常にセンタリングが保持できる。
【００４３】
折板屋根を構成する屋根板材９は、該屋根板材９の長手方向に沿って熱伸縮するものであり、屋根板材９の長手方向が折板屋根の流れ方向と一致する。すなわち折板屋根は、流れ方向に熱伸縮が行われることになる。なお、ここで前記屋根板材９の正方向の移動は、屋根板材９の熱伸縮の伸び方向と同一の方向であり、前記屋根板材９の反対方向の移動も、屋根板材９の熱伸縮の縮み方向と同一の方向である。
【００４４】
この熱伸縮の伸び量、縮み量は、場所、場所によって異なるが、水下側又は水上側の先端側が大きくなっている。しかるに、その取付位置としての折板屋根受具取付箇所それぞれでは、同じ力が作用するという現象を呈している。このような状況下において、本発明の弾性力が常に一定値Ｆなる力で作用する定荷重バネ２による特性が重要である。このようなことで、折板屋根における屋根板材９の熱伸縮を良好に吸収することができ、板鳴り現象を防止することができる。
【００４５】
本発明の折板屋根を使用して屋根の施工を行う工程について説明する。ここでは、折板屋根は、馳締タイプのものであり、折板屋根を構成する屋根板材９は馳締タイプのものである。本発明の折板屋根受具は、現場に搬送されるときには、前記屋根面固定部材７の取付台座５は、定荷重バネ２の弾性力によってユニット収納部１の長手方向に対して略中立状態に維持されている〔図１（Ｃ），図３（Ａ）参照〕。それゆえに、屋根面固定部材７を取付台座５に固着するときには、定荷重バネ２に巻きつけた状態で、且つ屋根面固定部材７を折板屋根受具に対して中立状態にしつつ、屋根板材９に前記屋根面固定部材７を固着する。
【００４６】
まず、平行或いは所定の規則に基づいて配置施工された複数の母屋，胴縁等の構造材１００上に複数の折板屋根受具のユニット収納部１が配置固着される。次に、幅方向に複数配置固着された折板屋根受具のそれぞれの間に前記屋根板材９が配置され、幅方向に隣接する屋根板材９，９の対向する下馳部９４と上馳部９５が前記屋根面固定部材７の馳締舌片部７２の馳締屈曲部７２２によって馳締固定され、これによって屋根板材９が折板屋根受具に支持固定される。折板屋根受具は、その施工が完了するまで、屋根面固定部材７はユニット収納部１に対して略中立状態にある。したがって、屋根面固定部材７の位置をユニット収納部１に対して一々調整しながら固定する必要はなくなり、作業効率を向上させることができる。
【００４７】
本発明の折板屋根受具による折板屋根の熱伸縮に対する作用について説明する。なお、ここでは、定荷重バネ２が使用されたものについて説明する。外気の温度変化により、折板屋根の流れ方向に熱伸縮が発生する。すなわち、折板屋根を構成する屋根板材９の長手方向に熱伸縮が発生する。該屋根板材９を支持固定する屋根面固定部材７は、熱伸縮に伴って移動する。このとき、該屋根面固定部材７と共に取付台座４がユニット収納部１に対して可動（移動）することになる。たとえば、屋根板材９の熱伸縮により、前記屋根面固定部材７が図３（Ｂ）に示すように、中立位置から左側に移動する。すると、取付台座５も右側に移動する。取付台座５が可動することによって、ユニット収納部１内に収納された定荷重バネ２は引き出され、弾性力を蓄えられることになる。
【００４８】
そして、外気の温度が変化する前の温度に戻ると屋根板材９も、熱伸縮によって変化する前の元の長さに戻ろうとする。定荷重バネ２の弾性力によって、前記取付台座５を元の位置（例えば中立位置）に戻そうとするように働く。図４（Ｄ）は、外気の温度変化により、屋根板材９の熱伸縮と共に前記屋根面固定部材７が、中立位置から右側に移動した場合である。
【００４９】
この場合についても、前述した前記屋根面固定部材７が、中立位置から左側に移動した場合と略同様の状態となるが、この場合でも、前記定荷重バネ２が巻き出されることになる。このように、取付台座５が可動することによって、定荷重バネ２に弾性力が蓄えられることになる。そして、温度変化が生じて前記屋根板材９が元の長さとなるような熱伸縮が生じたときには、前記定荷重バネ２の弾性力が取付台座５を元の位置に戻ることを補助（アシスト）し、屋根面固定部材７が屋根板材９の熱伸縮に正確且つ良好に追従することができる。
【００５０】
図８（Ａ）〜（Ｃ）に示した構成は、本発明の第２実施形態であり、第１実施形態の構成部材と同様であり、特に、２個の水平軸付きの前記バネユニットＡ，Ａ内に設けた帯ゼンマイ状の定荷重バネ２，２の巻き方向の先端がそれぞれ外向きで且つ並列状にユニット収納部１内に設置されている。第１実施形態が該バネユニットＡ，Ａが直列状に設けられている構成と対比される。前記ユニット収納部１の上側に取付台座５が摺動可能に構成されている。該取付台座５上に上には屋根面固定部材７が固着されている。前記取付台座５には長孔部５ａ，５ａが設けられている。その他は、全て第１実施形態と同一であり、その説明は省略する。
【００５１】
図９（Ａ）及び（Ｂ）に示した構成は、本発明の第３実施形態であり、第１実施形態の構成部材と上下逆の構成である。具体的には、２個の水平軸付きの前記バネユニットＡ，Ａが図９（Ａ）に示すように、該バネユニットＡ，Ａ内に設けた帯ゼンマイ状の定荷重バネ２，２の巻き方向の先端がそれぞれ外向きで且つ直列状に設置され、先端が下側に位置し、ユニット収納部１が門形状をなした部位が、前記取付台座５が摺動可能に構成されている。
【００５２】
該取付台座５に設けられた長孔部５ａ，５ａに対応して前記定荷重バネ２，２の巻き方向の先端が摺動可能に設けられている。前記取付台座５上には屋根面固定部材７が固着されている。更に、前記ユニット収納部１の下側には、図示しないが前記下部台座６が設けられている。他の構成部材は、全て第１実施形態と同一であり、その説明は省略する。
【００５３】
図９（Ｃ）に示した構成は、本発明の第４実施形態であり、第３実施形態の前記バネユニットＡ，Ａを並列にした構成である。具体的には、２個の水平軸付きの前記バネユニットＡ，Ａが図９（Ｂ）に示すように、該バネユニットＡ，Ａ内に設けた帯ゼンマイ状の定荷重バネ２，２の巻き方向の先端がそれぞれ外向きで且つ並列状に設置されている。その他は、全て第３実施形態と同一であり、その説明は省略する。
【００５４】
図１０（Ａ）及び（Ｂ）に示した構成は、本発明の第５実施形態であり、２個の垂直軸付きの前記バネユニットＡ，Ａ内に設けた帯ゼンマイ状の定荷重バネ２，２の巻き方向の先端がそれぞれ外向きで且つ直列状に設置されている。前記ユニット収納部１は、取付台座５に対して摺動可能に構成されている。前記ユニット収納部１の上側には、屋根面固定部材７が固着されている。他の構成部材は、全て第１実施形態と同一であり、その説明は省略する。
【００５５】
図１０（Ｃ）に示した構成は、本発明の第６実施形態であり、第５実施形態の前記バネユニットＡ，Ａを並列にした構成である。具体的には、２個の垂直軸付きの前記バネユニットＡ，Ａが図１０（Ｃ）に示すように、該バネユニットＡ，Ａ内に設けた帯ゼンマイ状の定荷重バネ２，２の巻き方向の先端がそれぞれ外向きで且つ並列状に設置され、先端が下側に位置し、ユニット収納部１の門形状をなした部位が、前記取付台座５が摺動可能に構成されている。
【００５６】
図１１（Ａ）及び（Ｂ）に示した構成は、本発明の第７実施形態であり、２個の垂直軸付きの前記バネユニットＡ，Ａが上下の板部が設けられたユニット収納部１内に固定されている。具体的には、該バネユニットＡ，Ａ内に設けた帯ゼンマイ状の定荷重バネ２，２の巻き方向の先端がそれぞれ外向きで且つ直列状に設置されて前記ユニット収納部１内に収納されている。該ユニット収納部１の上には、上部可動板８が摺動可能に構成されている。該上部可動板８の上側には、屋根面固定部材７が固着されている。他の構成部材は、全て第１実施形態と同一であり、その説明は省略する。
【００５７】
図１１（Ｃ）に示した構成は、本発明の第８実施形態であり、第７実施形態の前記バネユニットＡ，Ａを並列にした構成である。具体的には、バネユニットＡ，Ａ内に設けた帯ゼンマイ状の定荷重バネ２，２の巻き方向の先端がそれぞれ外向きで且つ並列状に設置され、他の構成は、全て第７実施形態と同一であり、その説明は省略する。
【符号の説明】
【００５８】
１…ユニット収納部、Ａ…バネユニット、１２…頂部、１５…挿入溝、
１６…滑動面、２…定荷重バネ、２５…摺動片、４１…水平軸、５…取付台座、
５１ａ…長孔部、５２…水平縁、５３…折返し縁、７…屋根面固定部材。
【図１】
0005698589.tif 000002
【図２】
0005698589.tif 000003
【図３】
0005698589.tif 000004
【図４】
0005698589.tif 000005
【図５】
0005698589.tif 000006
【図６】
0005698589.tif 000007
【図７】
0005698589.tif 000008
【図８】
0005698589.tif 000009
【図９】
0005698589.tif 000010
【図１０】
0005698589.tif 000011
【図１１】
0005698589.tif 000012